(57)【要約】【課題】表示対象のトンネル名に関して一覧性を確保しつつも視認性を向上したトンネル非常警報設備用のモニター盤を提供する。【解決手段】トンネル非常警報設備用のモニター盤１は、ＬＣＤ１０と、ＬＣＤ１０に表示すべきトンネル名の総数である表示総数が２以下である場合にはトンネル名を１列×２行以下の配置によってＬＣＤ１０に表示させ、表示総数が３以上である場合にはトンネル名を２列×複数行の配置によってＬＣＤ１０に表示させるＣＰＵ３０とを備える。【選択図】  図３
2018081522.tif 000002
【特許請求の範囲】
【請求項１】
トンネル非常警報設備用のモニター盤であって、
表示画面と、
前記表示画面に表示すべきトンネル名の総数である表示総数が２以下である場合には前記トンネル名を１列×２行以下の配置によって前記表示画面に表示させ、前記表示総数が３以上である場合には前記トンネル名を２列×複数行の配置によって前記表示画面に表示させる制御部と
を備えたモニター盤。
【請求項２】
監視対象となる監視対象トンネルからの警報情報を受信する通信部をさらに備え、
前記制御部が、
前記警報情報が解除されていない警報状態トンネルの総数である警報総数が１以上である場合には、前記表示画面に表示させる画面として警報画面を選択する画面選択部と、
前記警報総数が１又は２である場合には前記警報状態トンネルのトンネル名を１列×２行以下の配置によって前記警報画面に表示させ、前記警報総数が３以上である場合には前記警報状態トンネルのトンネル名を２列×複数行の配置によって前記警報画面に表示させる配置決定部と
を含む、請求項１に記載のモニター盤。
【請求項３】
前記選択画面が、前記警報総数が０である場合には、前記表示画面に表示させる画面として、前記監視対象トンネルのトンネル名を表示する通常画面を選択するように構成され、前記警報画面の配色が前記通常画面の配色とは異なる、請求項２に記載のモニター盤。
【請求項４】
音出力手段及びユーザ操作可能な停止手段をさらに備え、
前記制御部が、前記警報画面を点滅表示で開始させるとともに音出力手段による音出力を作動させ、前記停止手段の操作受付により前記点滅状態を連続表示状態に移行させるとともに前記音出力を停止させる警報開始部をさらに含む、請求項２又は３に記載のモニター盤。
【請求項５】
ＵＳＢポートをさらに備え、
前記制御部が、前記ＵＳＢポートに接続されたＵＳＢメモリに記憶されているトンネルを前記監視対象トンネルに設定又は更新する監視設定部をさらに含む、請求項２から４のいずれか一項に記載のモニター盤。
【請求項６】
ＵＳＢポートをさらに備え、
前記制御部が、前記ＵＳＢポートに接続されたＵＳＢメモリに前記警報情報の履歴を記憶する履歴管理部をさらに含む、請求項２から４のいずれか一項に記載のモニター盤。
【請求項７】
前記選択画面が、前記警報総数が０である場合には、前記表示画面に表示させる画面として、前記監視対象トンネルのトンネル名を表示する通常画面を選択するように構成され、
前記制御部が、前記表示画面が前記通常画面である場合に前記通常画面の表示が開始された時点又は前記モニター盤への最後の操作が行われた時点のいずれか遅い方から所定時間経過後に前記表示画面を消灯させる画面制御部をさらに含む、請求項１から６のいずれか一項に記載のモニター盤。
【請求項８】
前記表示画面が６〜１２インチワイド画面であり、前記複数行が５行以下である、請求項１から７のいずれか一項に記載のモニター盤。
【請求項９】
映像出力端子をさらに備え、
前記制御部が、前記表示画面の表示内容と同じ表示内容を前記映像出力端子に接続された外部ディスプレイに出力する映像拡張部をさらに含む、請求項１から８のいずれか一項に記載のモニター盤。
【発明の詳細な説明】
【技術分野】
【０００１】
本発明は、トンネル非常警報設備用のモニター盤に関する。
【背景技術】
【０００２】
一般にトンネル非常警報設備では、監視対象のトンネルから受信された警報が、警察署、消防署等に設置されたモニター盤に伝達される（例えば、特許文献１参照）。例えば、図９に示すように、従来のモニター盤１０１は筐体面１０２に配置された表示部１１０を有し、表示部１１０は、ランプ群を構成する複数のランプ１１１及びランプ群の上部スペースのプレート１１５を有していた。上段の各ランプ１１１に「事故発生」の文字が表記され、下段の各ランプ１１１に「試験中」の文字が表記され、各プレート１１５に監視対象のトンネル名が表記される（最大で５本のトンネルが監視対象となる）。そして、警報に係るトンネルに対応するランプ１１１（「事故発生」のランプ）の点灯によって当該トンネル内の事故発生等が通知される。
【先行技術文献】
【特許文献】
【０００３】
【特許文献１】特開２００６−１５５４９５号公報
【発明の概要】
【発明が解決しようとする課題】
【０００４】
トンネル非常警報設備のモニター盤においては、同時に複数のトンネル名を表示する必要性から、トンネル名の一覧性が確保される必要がある。ところで、トンネル名は通常、地名、道路名等に「トンネル」又は「ＴＮ」の文字が続くため、文字列が長くなりがちである。ここで、図９に示すような従来のモニター盤１０１では、ランプ１１１の各々に対応付けてトンネル名を表記する必要があり、プレート１１５におけるトンネル名の文字列を各ランプ１１１の幅に合わせて小さく表記せざるを得ない。そのため、従来のモニター盤１０１においては、トンネル名の視認性が悪いという問題があった。
【０００５】
そこで、本発明は、表示対象のトンネル名に関して一覧性を確保しつつも視認性を向上したトンネル非常警報設備用モニター盤を提供することを課題とする。
【課題を解決するための手段】
【０００６】
本発明のトンネル非常警報設備用のモニター盤は、表示画面と、表示画面に表示すべきトンネル名の総数である表示総数が２以下である場合にはトンネル名を１列×２行以下の配置によって表示画面に表示させ、表示総数が３以上である場合にはトンネル名を２列×複数行の配置によって表示画面に表示させる制御部とを備える。
【０００７】
上記構成によると、トンネル名の表示が、ランプ群ではなく表示画面を用いて行われる。そして、表示総数が２以下である場合には、トンネル名の文字列が１列×２行の配列においてフォントサイズが最大化され、長くなりがちなトンネル名の視認性が最適化される。一方、表示総数が３以上である場合には、トンネル名の文字列が２列×複数行の配列で表示され、トンネル名の一覧性が得られる範囲で視認性が確保される。これにより、表示対象トンネル名に関して一覧性を確保しつつも視認性が向上したトンネル非常警報設備用モニター盤が実現される。
【０００８】
一実施形態では、上記モニター盤は、監視対象となる監視対象トンネルからの警報情報を受信する通信部をさらに備え、制御部は、警報情報が解除されていない警報状態トンネルの総数である警報総数が１以上である場合には、表示画面に表示させる画面として警報画面を選択する画面選択部と、警報総数が１又は２である場合には警報状態トンネルのトンネル名を１列×２行以下の配置によって警報画面に表示させ、警報総数が３以上である場合には警報状態トンネルのトンネル名を２列×複数行の配置によって警報画面に表示させる配置決定部とを含む。これにより、警報総数が２以下である場合には警報に係るトンネル名のフォントサイズが最大化されて視認性が最適化される一方で、表示総数が３以上である場合には警報に係るトンネル名の一覧性が得られる範囲で視認性が確保される。このように、警報画面における視認性及び一覧性が確保され、モニター盤の警報表示に応じた迅速な初動が可能となる。
【０００９】
また、選択画面は、警報総数が０である場合には、表示画面に表示させる画面として、監視対象トンネルのトンネル名を表示する通常画面を選択するように構成され、警報画面の配色は通常画面の配色とは異なることが好ましい。これにより、警報状態トンネルの発生又は存在の直観的な喚起が可能となる。
【００１０】
さらに、上記モニター盤が音出力手段及びユーザ操作可能な停止手段を備え、制御部が、警報画面を点滅表示で開始させるとともに音出力手段によって音出力を作動させ、停止手段の操作受付に応じて点滅状態を連続表示状態に移行させるとともに音出力を停止させる警報開始部を含んでいてもよい。このような点滅表示及び音出力による警報画面の開始及び停止操作による点滅表示及び音出力の確認的な停止によって、警報事象発生の認識及び確認が確実に行われる。
【００１１】
さらに、上記モニター盤がＵＳＢポートを備え、制御部が、ＵＳＢポートに接続されたＵＳＢメモリに記憶されているトンネルを監視対象トンネルに設定又は更新する監視設定部を含んでいてもよい。このように、ＵＳＢメモリを用いて容易に監視対象トンネルの設定及び更新を行うことができるので、モニター盤の導入容易性及び運用容易性が高まる。
【００１２】
また、上記モニター盤がＵＳＢポートを備え、制御部が、ＵＳＢポートに接続されたＵＳＢメモリに警報情報の履歴を記憶する履歴管理部を含んでいてもよい。このように、ＵＳＢメモリを用いて容易に警報情報の記録等を行うことができるので、モニター盤の情報管理性及び利便性が高まる。
【００１３】
さらに、選択画面は、警報総数が０である場合には、表示画面に表示させる画面として、監視対象トンネルのトンネル名を表示する通常画面を選択するように構成され、制御部は、表示画面が通常画面である場合に、通常画面の表示が開始された時点又はモニター盤への最後の操作が行われた時点のいずれか遅い方から所定時間経過後に表示画面を消灯させる画面制御部を含んでいてもよい。これにより、消費電力が低減されるとともに表示画面の長寿命化が可能となる。
【００１４】
また、表示画面は６〜１２インチワイド画面であり、上記複数行が５行以下であることが好ましい。表示画面の上記サイズ及び行数によって、長くなりがちなトンネル名の文字列のフォントサイズが最適化され、モニター盤の使用者が無理なく画面上のトンネル名を読み取ることが可能となる。
【００１５】
さらに、上記モニター盤が映像出力端子をさらに備え、制御部が、表示画面の表示内容と同じ表示内容を映像出力端子に接続された外部ディスプレイに出力する映像拡張部を含んでいてもよい。これにより、モニター盤の拡張性が得られる。
【図面の簡単な説明】
【００１６】
【図１】実施形態のモニター盤が用いられるトンネル非常警報設備の概略図である。
【図２】実施形態によるモニター盤の外観図である。
【図３】実施形態のモニター盤のブロック図である。
【図４】実施形態によるモニター盤のＬＣＤの通常画面の表示例を示す図である。
【図５Ａ】実施形態によるモニター盤のＬＣＤの警報画面の表示例を示す図である。
【図５Ｂ】実施形態によるモニター盤のＬＣＤの警報画面の表示例を示す図である。
【図６】実施形態によるモニター盤の動作を説明するフローチャートである。
【図７】変形例によるモニター盤のＬＣＤの警報画面の表示例を示す図である。
【図８】変形例によるモニター盤のＬＣＤの警報画面の表示例を示す図である。
【図９】従来のモニター盤の外観図である。
【発明を実施するための形態】
【００１７】
＜実施形態＞
図１に、本発明の実施形態によるモニター盤１が用いられるトンネル非常警報設備の概略図を示す。モニター盤１は、例えば、警察署Ｐ１〜Ｐｍ及び消防署Ｆ１〜Ｆｎに設置される。トンネル非常警報設備は、概略として、トンネルＴ１〜Ｔｘの各々に設置された通報装置Ｒ（例えば、押ボタン式通報装置）、各トンネルに設置された制御装置及び情報表示板（不図示）、管理事務所Ｍに設置された受信制御機Ｃ、並びに警察署Ｐ１〜Ｐｍ及び消防署Ｆ１〜Ｆｎの各々に設置された各モニター盤１を含む。各通報装置Ｒ、受信制御機Ｃ及び各モニター盤１とは適宜の通信線Ｌ１及びＬ２（ＮＴＴ専用線、Ｅｔｈｅｒｎｅｔ（登録商標）等）を介して通信接続される。トンネルＴ１〜Ｔｘのいずれかで事故等の警報事象が発生すると、対応の通報装置Ｒから管理事務所Ｍの受信制御機Ｃを介して、警報情報が各モニター盤１に伝送される。以降の説明においては、警察署Ｐ１〜Ｐｍ又は消防署Ｆ１〜Ｆｎのうちの任意の１つに設置されたモニター盤１について説明するが、各モニター盤１は同一の構成であるものとする。ただし、警察署Ｐ１〜Ｐｍ又は消防署Ｆ１〜Ｆｎの管轄に応じて、監視対象となるトンネルは異なる。
【００１８】
図２に、モニター盤１の外観を示す。モニター盤１は、本体３及び扉４を有する筐体２を備える。筐体２は、例えば、幅（横）：３００ｍｍ、高さ（縦）：４３０ｍｍ、奥行き：６０ｍｍの金属製ケースである。扉４は、本体側面３ｂの対向面と扉側面４ｂの対向面との接続部を回転軸として本体３に対して開閉可能に構成されている。また、扉４を閉じた状態で、本体側面３ａと扉側面４ａとは留め具２ａによって固定される。
【００１９】
扉前面４ｂには、液晶ディスプレイ１０（以下、「ＬＣＤ１０」という）、ブザー用の孔４ｃ、モニターランプ５、ブザー停止ボタン６及びランプチェックボタン７が設けられる。モニターランプ５は、伝送異常を報知するためのランプであり、上位装置（例えば、受信制御機Ｃ）からの通信が受信されなくなるとブザー用の孔４ｃからのブザー音とともに点灯又は点滅する。ブザー停止ボタン６は、ブザーを停止させるためのボタンである。ランプチェックボタン７は、ＬＣＤ１０及びモニターランプ５を点灯させる点検用のボタンである。
【００２０】
扉前面４ｂの内部上側（ＬＣＤ１０の背面付近）には制御回路基板（不図示）が取り付けられる。制御回路基板には、ＬＣＤ１０の表示制御、モニターランプ５の点灯制御、ブザーの鳴動制御、外部装置との通信制御等の種々の制御を行うための制御回路が実装される。図９に示すような従来例では、各ランプ１１１の点灯制御、外部装置との通信制御等の種々の制御を行うための制御回路基板がスロット方式（複数の回路基板が積層配置される方式）で構成されていたが、本実施形態では、制御回路基板がワンボード方式（１枚の回路基板で構成される方式）で構成され、筐体２の薄型化が図られている。
【００２１】
扉前面４ｂの内部下側（基板部の下方）には電源回路基板（不図示）が取り付けられる。電源回路基板には、停電時にモニター盤１の電源となるバッテリ、そのバッテリの充電回路等が実装される。モニター盤１は通常時（すなわち非停電時）は、例えばＡＣ１００Ｖの交流電源によって動作する。この通常時に交流電源を電源として充電回路によってバッテリが充電され、停電時にバッテリを電源としてモニター盤１が動作する。本実施形態では、停電補償時間は１時間以上である（４０分以上の停電補償時間が必要とされる）。また、本実施形態では、バッテリに、長寿命を特徴とするリチウムイオンバッテリが採用され、バッテリの定期交換が実質的に不要となるように構成される。
【００２２】
ＬＣＤ１０は、７インチワイド（例えば、横：１５４．７ｍｍ、縦：８７．１ｍｍ）、ＷＶＧＡの液晶ディスプレイである。ＬＣＤ１０は、詳細を後述するように、６インチワイド（例えば、横：１３２．６ｍｍ、縦：７４．７ｍｍ）〜１２インチワイド（例えば、横：２６５．２ｍｍ、縦：１４９．４ｍｍ）程度であることが好ましい。なお、本実施形態ではワイド画面（アスペクト比１６：９）を用いるが、他のタイプの画面（例えば、アスペクト比４：３のスタンダード画面）が用いられてもよい。また、本実施形態では表示画面としてＬＣＤ１０を示すが、表示画面は、有機ＥＬディスプレイ等、他の種類のディスプレイであってもよい。なお、本開示において、ＬＣＤ１０のことを必要に応じて表示画面ともいう。
【００２３】
図３に、モニター盤１のブロック図を示す。モニター盤１は、上記のＬＣＤ１０、モニターランプ５、ブザー停止ボタン６及びランプチェックボタン７とともに、通信部２０、制御部であるＣＰＵ３０、メモリ４０、ブザー５０、ＨＤＭＩ端子６０及びＵＳＢポート７０を備え、これらは適宜のシステムバスによってデータ又は信号のやり取りが可能な態様で接続される。通信部２０、ＣＰＵ３０、メモリ４０、ブザー５０、ＨＤＭＩ端子６０及びＵＳＢポート７０は、上述した制御回路基板に実装される。
【００２４】
通信部２０は、監視対象トンネルで発生している警報事象に関する情報（以下、「警報情報」という）を管理事務所Ｍの受信制御機Ｃから受信し、その警報情報をＣＰＵ３０に入力する入力インターフェースとして機能する。上述したように、通信は、ＮＴＴ専用線、Ｅｔｈｅｒｎｅｔ（登録商標）等を介して接続されるが、有線又は無線の他の通信方式が採用されてもよい。
【００２５】
ＣＰＵ３０は、画面選択部３１、配置決定部３２、画面制御部３３、警報開始部３４、映像拡張部３５、監視設定部３６、履歴管理部３７及びタイマ３８を含み、これらの各部はバスによってデータ又は信号のやり取りが可能な態様で接続される。また、ＣＰＵ３０は、上記各部における処理以外の基本的処理も実行可能である。メモリ４０は、プログラム及びデータを記憶するＲＡＭ、ＲＯＭ等のメモリである。
【００２６】
画面選択部３１は、ＬＣＤ１０に表示させる画面として、監視対象となる監視対象トンネルを表示する通常画面と、警報情報に係る警報状態トンネルを表示する警報画面とを切り換える。具体的には、画面選択部３１は、警報情報が解除されていない警報状態トンネルの総数である警報総数が０である場合には通常画面を選択し、警報総数が１以上である場合には警報画面を選択する。なお、画面選択部３１は、試験中画面等の他の画面も適宜選択可能である。
【００２７】
配置決定部３２は、ＬＣＤ１０に表示すべきトンネル名の総数である表示総数（特に警報総数）が２以下である場合にはトンネル名を１列×２行以下の配置によってＬＣＤ１０に表示させ、表示総数（特に警報総数）が３以上である場合にはトンネル名を２列×複数行の配置によってＬＣＤ１０に表示させる。本実施形態では、配置決定部３２は、警報総数が１又は２である場合には警報状態トンネルのトンネル名を１列×２行の配置によって警報画面に表示させ、警報総数が３以上である場合には警報状態トンネルのトンネル名を２列×５行の配置によって警報画面に表示させる。なお、本実施形態では、配置決定部３２は、監視対象トンネルの総数である監視総数にかかわらず、監視対象トンネルのトンネル名を２列×５行の配置によって通常画面に表示させる。表示画面の具体例を以下に示す。
【００２８】
図４に、監視対象トンネル数（監視総数）が６である場合の通常画面１０Ｎの表示例を示す。通常画面１０Ｎの上部領域１１Ｎに「監視中」と表示され、その下の２列×５行の表形態の領域１２Ｎの各欄に監視対象トンネルのトンネル名が表示される。言い換えると、最大１０までのトンネルが監視対象トンネルとなり得る。本例では、領域１１Ｎの背景は青色であり、文字は白色であり、領域１２Ｎの背景は黒色であり、文字及び罫線は白色である。
【００２９】
図５Ａに、警報状態トンネル数（警報総数）が２以下（本例では２）である場合のＬＣＤ１０の警報画面１０Ａの表示例を示す。警報画面１０Ａの上部領域１１Ａに警報事象「事故発生」が表示され、その下の１列×２行の表形態の領域１２Ａの各欄に警報状態トンネルのトンネル名が表示される。なお、警報状態トンネル数が１の場合には、領域１２Ａの２行目が空欄となるようにしてもよいし、警報に係る１つのトンネル名のみが領域１２Ａの中心付近に表示される構成（すなわち、領域１２Ａが表の形態を採らない構成）であってもよい。本例では、領域１１Ａの背景は赤色であり、文字は白色であり、領域１２Ａの背景は黒色であり、文字は赤色であり、罫線は白色である。
【００３０】
図５Ｂに、警報状態トンネル数（警報総数）が３以上（本例では６）である場合の警報画面１０Ａの表示例を示す。表示画面１０Ａの上部領域１１Ａに警報事象「事故発生」が表示され、その下の２列×５行の表形態の領域１２Ａの各欄に警報状態トンネルのトンネル名が表示される。本例では、領域１１Ａの背景は赤色であり、文字は白色であり、領域１２Ａの背景は黒色であり、文字は赤色であり、罫線は白色である。
【００３１】
なお、警報事象は「事故発生」の他に「火災発生」、「故障中」等となる場合もある。また、複数の警報事象が発生している場合には、配置決定部３２は、領域１１Ａの表示を所定の時間間隔で順に切り換えることができる。例えば、上記の３つの事象が発生している場合、領域１１Ａは１秒毎に「事故発生」→「火災発生」→「故障中」→「事故発生」・・・等のように切り換わる。
【００３２】
上記警報画面１０Ａの構成により、警報総数が２以下である場合には警報に係るトンネル名のフォントサイズが最大化されて視認性が最適化される一方で、表示総数が３以上である場合には警報に係るトンネル名の一覧性が得られる範囲で視認性が確保される。このように、警報画面１０Ａにおける視認性及び一覧性が確保され、モニター盤１の警報表示に応じた迅速な初動が可能となる。
【００３３】
なお、通常画面１０Ｎ及び警報画面１０Ａの配色は、上述した配色に限られず、罫線はなくてもよい。ただし、警報画面の配色は、通常画面の配色とは異なることが好ましい。これにより、警報事象（又は警報状態トンネル）の発生又は存在の直観的な喚起が可能となる。
【００３４】
ここでさらに、上記表示構成のＬＣＤ１０のサイズについて検討する。７インチワイド型の画面サイズは、例えば、横：１５４．７ｍｍ×縦：８７．１ｍｍである。図４又は図５Ｂに示すように領域１２Ｎ又は１２Ａ（以下、「領域１２」という）が２列×５行で構成される場合、領域１２の各マスの幅は約７７ｍｍとなる。また、領域１１の高さを１２ｍｍとした場合、領域１２の各マスの高さは約１５ｍｍとなる。ここで、幅：７７ｍｍ×高さ：１５ｍｍのマスに収まるフォントサイズは、６文字のトンネル名の場合には、ＭＳＰゴシックのフォントで３６ポイント前後となる。同様に、各マスに収まるフォントサイズは、ＭＳＰゴシックのフォントにおいて、７文字のトンネル名の場合には３２ポイント前後となり、８文字のトンネル名の場合には２８ポイント前後となり、９文字のトンネル名の場合には２４ポイント前後となり、１０文字のトンネル名の場合には２２ポイント前後となる。
【００３５】
これは、図９に示す従来のモニター盤１０１における各プレート１１５（幅：３０ｍｍ程度）の上部スペースに表記されるトンネル名の小さなフォントサイズを考慮すると、本実施形態では視認性が格段に向上することを意味する。そして、本実施形態では、上記の各フォントサイズは、使用フォント、文字間等の設定により多少増減するものの、使用者がモニター盤１の付近から無理なく（すなわち、モニター盤１に顔を近づけなくても）視認できる大きさとなる。
【００３６】
また、ワイド画面（アスペクト比１６：９）の表示画面において、領域１１を適切な行高に設定して領域１２を２列×５行の表で構成すると、領域１２の各マスの横：縦の比は、概ね５：１〜６：１となる。この縦横比は、行間の余白（すなわち横罫線周辺のスペース）の確保も含めて、長くなりがちなトンネル名の文字列を表示するのに適する。
【００３７】
上述したＬＣＤ１０による表示の特質は、６インチワイド画面（例えば、横：１３２．６ｍｍ、縦：７４．７ｍｍ）についてもほぼ同様のことが言える。また、ＬＣＤ１０のサイズを大きくすれば視認性は増すが、消費電力、対応の制御回路基板の収容性の観点から、そのサイズは１２インチ以下であることが好ましい。また、ＬＣＤ１０を７インチ〜１２インチ程度のスタンダード画面で構成することも可能であるが、横長となるトンネル名の文字列を表示する特質から、ＬＣＤ１０はワイド型であることが好ましい。したがって、ＬＣＤ１０の画面サイズが６〜１２インチワイド画面であり、領域１２が５行以下で構成されると、トンネル名の文字列のフォントサイズが最適化され、モニター盤１の使用者が無理なく画面上のトンネル名を読み取ることが可能となり、好適な表示画面が形成される。
【００３８】
図３に戻り、画面制御部３３は、ＬＣＤ１０（そのバックライト）の点灯及び消灯を制御する。ＬＣＤ１０が消灯している場合において、画面制御部３３は、警報画面若しくは試験中画面が適用される場合、毎正時（１時間に１回）、又はブザー停止ボタン６若しくはランプチェックボタン７の押下等といったモニター盤１への操作があった場合に、ＬＣＤ１０を点灯させる。またさらに、モニター盤１に、不図示の人感センサが取り付けられ、モニター盤１の所定範囲内に人が近づいたことを人感センサが検知した場合に、ＬＣＤ１０が点灯される構成としてもよい。なお、上記の毎正時点灯の場合及び人感センサによる点灯の場合には、原則として通常画面が表示される。
【００３９】
そして、ＬＣＤ１０が通常画面を表示している場合において、画面制御部３３は、通常画面の表示が開始された時点又はモニター盤１への最後の操作が行われた時点のいずれか遅い方から所定時間経過後にＬＣＤ１０を消灯させる。通常画面の表示が開始される時点としては、すべての警報情報が解除されて画面選択部３１が警報画面を通常画面に切り換える時点が想定される。なお、警報画面及び試験中画面に対しては上記のような消灯制御は行われず、警報画面及び試験中画面は必ず点灯継続される。上記の所定時間は任意に設定可能であり、５分〜１５分、好ましくは１０分程度であればよい。これにより、省エネ及びＬＣＤ１０の長寿命化が可能となる。
【００４０】
警報開始部３４は、通常画面から警報画面への移行時の動作、すなわち警報画面の開始時の動作を制御する。警報開始部３４は、警報画面を点滅表示で開始させるとともにブザー５０を鳴動させる。その後、使用者によってブザー停止ボタン６が押下されると、警報開始部３４は、警報画面の点滅状態を連続表示状態に移行させるとともにブザー５０の鳴動を停止させる。なお、複数の警報状態トンネルが存在する場合の点滅表示に関して、領域１１Ａ及び１２Ａの全体が点滅されるようにしてもよいし、領域１１Ａのみが点滅されるようにしてもよいし、領域１１Ａ及び領域１２Ａにおける新たに発生した警報状態トンネルに係る部分が点滅されるようにしてもよいし、領域１２Ａにおける新たに発生した警報状態トンネルに係る部分のみが点滅されるようにしてもよい。このような点滅表示及び音出力による警報画面の開始、及び停止操作による点滅表示及び音出力の確認的な停止によって、警報事象発生の認識及び確認が確実に行われる。
【００４１】
なお、警報画面の開始時の動作中に警報情報が解除された場合には、警報開始部３４が上記の画面点滅及びブザー鳴動を停止させるようにしてもよい。また、領域１１Ａにおいて複数の警報事象が順に切換表示される場合、ブザー鳴動中であっても領域１２Ａは点滅されないものとする。
【００４２】
ブザー５０は、筐体２内部でブザー用の孔４ｃの付近（図２参照）に配置され、通常画面から警報画面への移行時、及び上位装置（受信制御機Ｃ）からの通信の中断時（すなわち、モニターランプ５の動作時）に鳴動される。そして、上述のように、ブザー停止ボタン６が押下されると、ブザー５０の鳴動は停止する。なお、本実施形態では音出力手段としてブザー５０を示すが、音出力手段として、他のアラーム音（サイレン音等）又は音声案内（「事故発生、事故発生、・・・」等の音声）を出力可能なデバイスが採用されてもよい。
【００４３】
映像拡張部３５は、ＨＤＭＩ端子６０に外部ディスプレイ６５が接続される場合には、ＬＣＤ１０の表示内容と同じ表示内容を外部ディスプレイ６５に出力する。これにより、モニター盤１の拡張性が得られる。なお、通常画面出力時に、画面制御部３３の動作によってＬＣＤ１０が消灯状態となっていても、外部ディスプレイ６５は点灯状態を継続するように構成される。また、映像出力端子として、ＨＤＭＩ端子６０に代えて、又はそれと併せて、ＶＧＡ端子、ＤＶＩ−Ｄ端子、ＤＶＩ−Ｉ端子、ＤｉｓｐｌａｙＰｏｒｔ端子等の端子が設けられてもよい。
【００４４】
監視設定部３６は、ＵＳＢポート７０にＵＳＢメモリ７５が接続される場合、ＵＳＢメモリ７５に記憶されているトンネルを監視対象トンネルに設定又は更新する。監視設定部３６は、現在の（すなわち、メモリ４０に記憶されている）監視対象トンネルに対してＵＳＢメモリ７５に記憶された監視対象トンネルを上書きするようにしてもよいし、現在の監視対象トンネルとＵＳＢメモリ７５に記憶された監視対象トンネルとの差分を追加又は削除するようにしてもよい。したがって、使用者は、他のパソコン等において監視対象トンネルをＵＳＢ７５に記憶させてから、ＵＳＢ７５をＵＳＢポート７０に装着して上記の設定又は更新を行うことができる。このように、ＵＳＢメモリを用いて容易に監視対象トンネルの設定及び更新を行うことができるので、モニター盤１の導入容易性及び運用容易性が高まる。
【００４５】
履歴管理部３７は、ＵＳＢポート７０に接続されたＵＳＢメモリ７５に警報情報（警報事象）の履歴を記憶する。履歴には、警報情報の入着日時、警報情報の解除日時、警報情報に係るトンネル名、及び警報事象（事故発生、火災発生等）が含まれる。したがって、使用者は、ＵＳＢメモリ７５をＵＳＢポート７０から取り外してから、他のパソコン等においてＵＳＢメモリ７５を接続して過去の警報情報の集計、解析等を行うことができる。また、所定の操作によって、ＵＳＢメモリ７５に記憶した履歴をＬＣＤ１０に表示する機能が実装される。このように、ＵＳＢメモリを用いて容易に警報情報の記録等を行うことができるので、モニター盤１の情報管理性及び利便性が高まる。
【００４６】
さらに、ＣＰＵ３０は、通信部２０において上位装置（例えば、受信制御機Ｃ）からの通信が受信されなくなった場合に、伝送異常を示すモニターランプ５を点灯させるとともにブザー５０を鳴動させることができる。そして、ＣＰＵ３０は、使用者によるブザー停止ボタン６の押下に応じてブザー５０の鳴動を停止させる。また、ＣＰＵ３０は、ランプチェックボタン７の押下に応じて、ＬＣＤ１０又はモニターランプ５の点灯テストを実行することができる。
【００４７】
図６に、モニター盤１における警報画面の出力動作の一例のフローチャートを示す。
ステップＳ５において、ＬＣＤ１０には通常画面が表示されているものとする。
ステップＳ１０において、画面選択部３１は、警報情報が入力されたか否かを判定し、警報情報が入力されない場合（ステップＳ１０、Ｎｏ）、処理はステップＳ５に戻る。警報情報が入力された場合（ステップＳ１０、Ｙｅｓ）、画面選択部３１が通常画面を警報画面に切り換え、処理はステップＳ１１に進む。
【００４８】
ステップＳ１１において、配置決定部３２は、警報総数が３以上であるか否かを判定する。警報総数が２以下である場合（ステップＳ１１、Ｎｏ）、処理はステップＳ１２に進み、警報総数が３以上である場合（ステップＳ１１、Ｙｅｓ）、処理はステップＳ１３に進む。
ステップＳ１２では、配置決定部３２は、１列×２行の領域１２の各欄に警報状態トンネルのトンネル名を入力する。
ステップＳ１３では、配置決定部３２は、２列×５行の領域１２の各欄に警報状態トンネルのトンネル名を入力する。
【００４９】
ステップＳ１４において、警報開始部３４が、ステップＳ１２又はＳ１３で決定された警報画面をＬＣＤ１０に点滅表示させるとともにブザー５０を鳴動させる。
ステップＳ１５において、警報開始部３４は、ブザー停止ボタン６が押下されたか否かを判定し、ブザー停止ボタン６が押下されるまで警報画面の点滅及びブザー５０の鳴動を継続させる。ブザー停止ボタン６が押下されると（ステップＳ１５、Ｙｅｓ）、警報開始部３４は、ステップＳ１６において警報画面の点滅を連続点灯に移行させるとともにブザー５０の鳴動を停止させる。
【００５０】
ステップＳ２０において、画面選択部３１は、警報総数が増加したか否か（すなわち、新たな警報情報が入力されたか否か）を判定する。警報総数が増加した場合（ステップＳ２０、Ｙｅｓ）、処理はステップＳ１１に戻り、それ以外の場合（ステップＳ２０、Ｎｏ）、処理はステップＳ２５に進む。
ステップＳ２５において、画面選択部３１は、警報総数が減少したか否か（すなわち、警報情報の解除があったか否か）を判定する。警報総数が減少していない場合（ステップＳ２５、Ｎｏ）、処理はステップＳ２０に戻り、警報総数が減少した場合（ステップＳ２５、Ｙｅｓ）、処理はステップＳ３０に進む。
すなわち、警報総数に増減がなければその時点での警報画面の表示が維持される。
【００５１】
ステップＳ３０において、画面選択部３１は、警報総数が０か否かを判定する。警報総数が０である場合（ステップＳ３０、Ｙｅｓ）、処理はステップＳ５に戻り、画面選択部３１は通常画面をＬＣＤ１０に表示させる。警報総数が０でない場合（ステップＳ３０、Ｎｏ）、処理はステップＳ３１に進む。
【００５２】
ステップＳ３１において、配置決定部３２は、警報総数が３以上であるか否かを判定する。警報総数が２以下である場合（ステップＳ３１、Ｎｏ）、処理はステップＳ３２に進み、警報総数が３以上である場合（ステップＳ３１、Ｙｅｓ）、処理はステップＳ３３に進む。
ステップＳ３２では、配置決定部３２は、１列×２行の領域１２の各欄に警報状態トンネルのトンネル名を入力する。
ステップＳ３３では、配置決定部３２は、２列×５行の領域１２の各欄に警報状態トンネルのトンネル名を入力する。
ステップＳ３４において、配置決定部３２が警報画面の表示内容を変更し、処理はステップＳ２０に戻る。
【００５３】
なお、ステップＳ１４〜ステップＳ１６における警報画面の点滅及びブザーの鳴動中に上記のステップＳ２０〜Ｓ３４が含まれる構成としてもよい。また、図６に示す各処理又は図６には含まれない各処理において、選択された画面（通常画面又は警報画面）、特定された表示総数（警報総数）、監視対象トンネル及び警報状態トンネルのトンネル名等はメモリ４０に逐次記憶されるものとする。
【００５４】
以上のように、本発明のトンネル非常警報設備用モニター盤１は、ＬＣＤ１０と、ＬＣＤ１０に表示すべきトンネル数である表示総数が２以下である場合にはトンネル名を１列×２行以下の配置によってＬＣＤ１０に表示させ、表示総数が３以上である場合にはトンネル名を２列×複数行の配置によってＬＣＤ１０に表示させるＣＰＵ３０とを備える。このように、トンネル名の表示がＬＣＤ１０を用いて行われる。そして、表示総数が２以下である場合には、トンネル名が１列×２行の配列においてフォントサイズが最大化されて、長くなりがちなトンネル名の視認性が最適化される。一方、表示総数が３以上である場合には、トンネル名の文字列が２列×５行の配列で表示され、トンネル名の一覧性が得られる範囲で視認性が確保される。これにより、表示対象トンネル名に関して一覧性を確保しつつも視認性が向上したトンネル非常警報設備用のモニター盤１が実現される。
【００５５】
特に、モニター盤１は、監視対象トンネルからの警報情報を受信する通信部２０を備え、ＣＰＵ３０は、警報情報が解除されていない警報状態トンネルの総数である警報総数が１以上である場合には警報画面を選択する画面選択部３１と、警報総数が１又は２である場合には警報状態トンネルのトンネル名を１列×２行以下の配置によって警報画面に表示させ、警報総数が３以上である場合には警報状態トンネルのトンネル名を２列×複数行の配置によって警報画面に表示させる配置決定部３２とを含む。これにより、警報画面において警報に係るトンネル名の視認性及び一覧性が確保され、モニター盤１の警報表示に応じた迅速な初動が可能となる。
【００５６】
＜変形例＞
以上に本発明の好適な実施形態を示したが、本発明は、例えば以下に示すように種々の態様に変形可能である。
【００５７】
（１）警報表示の変形１
上記実施形態では、表示総数が３以上の場合には、領域１２の行数を常に５行とする構成を示したが、空欄を最少とする行数が採用される構成としてもよい。例えば、図７に示すように、警報総数が５又は６の場合には、領域１２Ａの行数を３としてもよい。また、警報総数が３又は４の場合には領域１２の行数を２としてもよく、警報総数が７又は８の場合には領域１２の行数を４としてもよい。これにより、各行高が拡がることによって横罫線周辺のスペースが拡がり、視認性が向上し得る。
【００５８】
また、図８に示すように、上記の場合において警報総数が３又は４の場合で領域１２Ａの行数を２とした場合には各行高が拡がるので、各トンネル名の「トンネル」を各欄の２行目に配置する構成としてもよい。これにより、特定の表示総数に限っては、比較的長いトンネル名のフォントサイズを増加させることができ、視認性が向上し得る。
【００５９】
（２）通常画面の形態に関する変形
上記実施形態では、通常画面において、監視総数が２以下である場合でも監視対象トンネルのトンネル名を２列×５行の配列で表示するものとしたが、通常画面においても警報画面と同様に、監視総数が２以下である場合には１列×２行の配列でトンネル名を表示してもよい。これにより、通常画面においても視認性及び一覧性が確保され、監視対象となっているトンネルの把握が容易となる。
【００６０】
（３）ＬＣＤ１０の機能拡張に関する変形
上記実施形態では、ＬＣＤ１０とは別個のモニターランプ５を設ける構成を示したが、ＬＣＤ１０がモニターランプ５の機能を取り込んでもよい。すなわち、上位装置からの通信が受信されなくなった場合にＬＣＤ１０に「伝送異常」の表示が行われるようにしてもよい。また、ＬＣＤ１０を表示専用のものとしたが、ＬＣＤ１０をタッチパネルで構成して、ブザー停止ボタン６又はランプチェックボタン７の機能をＬＣＤ１０で実現してもよい。この場合、例えば、ブザー鳴動は、ＬＣＤ１０へのタッチ動作によって停止する。言い換えると、ブザー停止ボタン６による停止手段が、ＬＣＤ１０のタッチセンサに代替される。
【符号の説明】
【００６１】
１  モニター盤
２  筐体
３  本体
４  扉
５  モニターランプ
６  ブザー停止ボタン（停止手段）
７  ランプチェックボタン  
１０  ＬＣＤ（表示画面）
２０  通信部
３０  ＣＰＵ（制御部）
３１  画面選択部
３２  配置決定部
３３  画面制御部
３４  警報開始部
３５  映像拡張部
３６  監視設定部
３７  履歴管理部
３８  タイマ
４０  メモリ
５０  ブザー（音声出力手段）
６０  ＨＤＭＩ端子（映像出力端子）
７０  ＵＳＢポート
【図１】
2018081522.tif 000003
【図２】
2018081522.tif 000004
【図３】
2018081522.tif 000005
【図４】
2018081522.tif 000006
【図５Ａ】
2018081522.tif 000007
【図５Ｂ】
2018081522.tif 000008
【図６】
2018081522.tif 000009
【図７】
2018081522.tif 000010
【図８】
2018081522.tif 000011
【図９】
2018081522.tif 000012